(57)【特許請求の範囲】
【請求項１】
面材を取り付けた一対の枠状フレームをＬ型に連結し、前記枠状フレーム同士の連結コーナー部下端、及び一方の枠状フレームの連結コーナー部とは反対側の端部下端に、車輪の向きを可変とした回転式キャスターを取り付けるとともに、他方の枠状フレームの連結コーナー部とは反対側の端部下端に、車輪の向きを一定とした固定式キャスターを取り付けたことを特徴とする移動式安全柵。
【請求項２】
枠状フレームを、幅が約１０００ｍｍ、高さが約１８００ｍｍの方形に形成した請求項１記載の移動式安全柵。
【請求項３】
面材を、網目状に形成した請求項１又は２記載の移動式安全柵。
【発明の詳細な説明】
【０００１】
【発明の属する技術分野】
本発明は、主に工場内において、作業者が作業或いは歩行する際に、通路等に飛び出した製品・材料によって負傷するのを防ぐために使用される移動式安全柵に関する。
【０００２】
【従来の技術】
一般に、工場内において製造された製品や工場内に運び込まれた材料は、ラック等の備え付けられた保管場所に一時保管される。この種の保管場所は、工場内の所定の区域を線引き或いは色分けして、通路等の他の場所と区別しただけのものであって、製品や材料の出し入れを容易とするために囲い等も設けられていなかった。
【０００３】
【発明が解決しようとする課題】
しかしながら、製品や材料が鋼材等の場合には、その鋭利な端部切断面がむき出しの状態で保管されることになり、特に、端部切断面が通路側に向いていると、作業中或いは通路を歩行中の作業者が、飛び出した端部切断面に当たって、手や顔に切り傷を負うことがあり、非常に危険であった。
【０００４】
本発明は、かかる不都合を解消して、製品や材料を覆って作業者の安全を守り、しかも、設置が簡単で使用性の高い移動式安全柵を提供することを目的としている。
【０００５】
【課題を解決するための手段】
上記課題を解決するため、請求項１の発明では、面材を取り付けた一対の枠状フレームをＬ型に連結し、前記枠状フレーム同士の連結コーナー部下端、及び一方の枠状フレームの連結コーナー部とは反対側の端部下端に、車輪の向きを可変とした回転式キャスターを取り付けるとともに、他方の枠状フレームの連結コーナー部とは反対側の端部下端に、車輪の向きを一定とした固定式キャスターを取り付けたことを特徴としている。
【０００６】
請求項２の発明では、枠状フレームを、幅が約１０００ｍｍ、高さが約１８００ｍｍの方形に形成した。請求項３の発明では、面材を、網目状に形成した。
【０００８】
【発明の実施の形態】
以下、本発明の実施形態について図面に基づいて詳細に説明する。図１は、本発明の一実施形態に係る移動式安全柵を示す斜視図、図２は、同じくそのキャスター部分を示す斜視図、図３は、移動式安全柵の設置状態を示す斜視図である。
【０００９】
本発明の一実施形態に係る移動式安全柵(１)は、互いにＬ型になるように連結され、かつ、各々に面材(２)(２)が取り付けられた一対の枠状フレーム(３)(３)と、この枠状フレーム(３)(３)の下端に取り付けられた移動用のキャスター(４)(４)(５)とからなる。
【００１０】
枠状フレーム(３)は、金属製で、Ｌ字状の縦材(６)と、帯板状の縦材(７)と、これら縦材(６)(７)の上下端部同士を連結する上下一対のＬ字状の横材(８)(８)とから長方形状に形成され、その幅が約１０００mm、高さが約１８００ｍｍに設定されている。そして、この枠状フレーム(３)の縦材(６)(７)の中央部間には、補強用の横桟(９)が差し渡されている。
【００１１】
また、一対の枠状フレーム(３)(３)の連結コーナー部(10)の上下端には、略三角形の連結補強板(11)(11)がボルト等によって取り付けられ、各枠状フレーム(３)(３)の連結コーナー部(10)とは反対側の端部下端には、キャスター取付用の略正方形の取付板(12)(12)が夫々ボルト等によって取り付けられている。
【００１２】
面材(２)は、エキスパンドメタル等によって網目状に形成され、枠状フレーム(３)の枠内に溶接等によって張り付けられている。
【００１３】
３つのキャスター(４)(４)(５)のうち、２つのキャスター(４)(４)は、図２に示すように、車輪(13)(13)の向きを可変とした回転式キャスターであって、枠状フレーム(３)(３)の連結コーナー部(10)下端の連結補強板(11)に突設された縦軸(14)、及び一方の枠状フレーム(３)の取付板(12)に突設された縦軸(14)に水平回転自在に取り付けられている。これら回転式キャスター(４)(４)には、ブレーキレバー(15)を下げればブレーキがかかり、ブレーキレバー(15)を上げれば車輪(13)が回転可能となってブレーキが解除されるといったブレーキ機構が備わっている。また、残りのキャスター(５)は、車輪(13)の向きを一定とした固定式キャスターであって、他方の枠状フレーム(３)の取付板(12)に取り付けられている。なお、この固定式キャスター(５)には、ブレーキ機構は備わっていない。
【００１４】
次に、上記構成の移動式安全柵(１)の使用方法を説明する。移動式安全柵(１)を動かす際は、固定式キャスター(５)を進行前方に向け、回転式キャスター(４)(４)を移動経路に合わせて左右に振りながら押してやれば、容易に移動させることができる。
【００１５】
図３は、移動式安全柵(１)を鋼材(16)(16)…の保管場所に設置した状態を示している。上記のようにして移動式安全柵(１)を保管場所まで移動させて、鋼材(16)(16)…の端部を囲むようにして停止させた後、ブレーキレバー(15)(15)を押し下げてブレーキをかけ、移動式安全柵(１)を設置・固定すれば、飛び出した鋼材(16)(16)…の端部切断面による作業者の負傷を防ぎ、作業者の安全を確保することができる。
【００１６】
新たに鋼材(16)を搬入する時や、保管されている鋼材(16)を移動させる必要のあるときは、ブレーキレバー(15)(15)を押し上げてブレーキを解除し、移動式安全柵(１)を移動させてやればよい。
【００１７】
また、枠状フレーム(３)(３)を、幅を約１０００mm、高さを約１８００ｍｍの長方形状としているので、大抵の作業者の身長の高さまで覆うことになり、顔などを傷つけることを防ぎ、しかも、扱いやすい大きさとなる。
【００１８】
さらに、移動式安全柵(１)の面材(２)(２)は、網目状とされているので、鋼材(16)(16)…などの設置状況や前方の様子を確認しながら移動させることができ、設置後も見通しを妨げない。安全柵全体を目立つ色で塗装しておくと、保管場所がカラフルになり、また、危険な場所を作業者に印象づけ注意を促すことができる。
【００１９】
【発明の効果】
以上の説明から明らかなように、本発明の移動式安全柵を使用すれば、保管場所に保管してある製品や材料を効果的に覆うことができ、作業中或いは通路を歩行中の作業者が、飛び出した鋼材の端部切断面等で顔や手などを負傷する虞れがなくなり、安全を確保できる。
【００２０】
また、枠状フレームの下端にキャスターを取り付けたことにより、製品や材料の搬入又は移動などの必要に応じて容易に移動させることができ、使用性の向上を図ることができる。前記キャスターは、２つの回転式キャスターと１つの固定式キャスターであるため、走行性が良好となり、移動がより簡単となる。
【００２１】
請求項２の発明によれば、枠状フレームを、幅を１０００mm、高さを約１８００ｍｍの長方形状としたことで、作業者の身長の範囲を防護でき、しかも扱いやすい大きさの移動式安全柵を得ることができる。
【００２２】
請求項３の発明によれば、枠状フレームに取り付けられた面材が網目状であるため、移動の際に前方が視認でき、また、保管場所に設置した状態でも、製品や材料の保管状況を安全柵外側より確認することができる。
【図面の簡単な説明】
【図１】本発明の一実施形態に係る移動式安全柵を示す斜視図である。
【図２】同じくそのキャスター部分を示す斜視図である。
【図３】移動式安全柵の設置状態を示す斜視図である。
【符号の説明】
(１)  移動式安全柵
(２)  面材
(３)(３)  枠状フレーム
(４)(４)  回転式キャスター
(５)  固定式キャスター
(10)  連結コーナー部
【図１】
0003879807.tif 000002
【図２】
0003879807.tif 000003
【図３】
0003879807.tif 000004